(57)【要約】【課題】切断粉を周囲に飛散させることなく切断作業を行うことのできる集塵機付き丸ノコ装置を提案すること。【解決手段】集塵機付き丸ノコ装置１では、本体側鋸刃カバー１５ａに第１の切粉吸出口１５ｂが形成され、切断位置の前方に配置した切粉ガイド１９には第２の切粉吸出口１９ａが形成され、これらの切粉吸出口１４ｂ、１９ａが二又状の集塵ホース６を介して集塵機５の集塵容器５３に接続されている。切断位置から四周に飛散する切粉は切粉ガイド１９の側に吸い込まれ、丸鋸刃の回転方向に飛散する切粉は本体側鋸刃カバー１４ａの側に吸い込まれるので、発生した切粉が周囲に飛散することが殆どない。よって、切断作業の作業環境を良好に保持でき、作業後の清掃作業も簡単で済む。【選択図】図１
2006159863.tif 000002
【特許請求の範囲】
【請求項１】
架台と、
前記架台の上面に搭載されている電動丸ノコと、
前記架台または前記電動丸ノコに搭載されている集塵機と、
集塵ホースとを有し、
前記電動丸ノコは、丸鋸刃と、当該丸鋸刃を覆う鋸刃カバーと、前記丸鋸刃による切断位置の前方に配置されている切粉ガイドと、前記鋸刃カバーおよび前記切粉ガイドに連通している切粉吸出口とを備え、
前記集塵ホースは、一端が前記切粉吸出口に接続され、他端が前記集塵機の吸引側に接続されていることを特徴とする集塵機付き卓上丸ノコ装置。
【請求項２】
請求項１において、
前記切粉吸引口として、第１の切粉吸引口および第２の切粉吸引口を備え、
前記第１の切粉吸引口は前記鋸刃カバーに形成されており、
前記第２の切粉吸引口は前記切粉ガイドに形成されており、
前記集塵ホースは、一端が二又に分岐して前記第１および第２の切粉吸出口にそれぞれ接続されており、他端が前記集塵機の吸引側に接続されていることを特徴とする集塵機付き卓上丸ノコ装置。
【請求項３】
請求項１または２において、
前記集塵機は、
吸引ファンが内蔵されている集塵機ケースと、
当該集塵機ケースに形成された前記吸引ファンの吸引口と、
前記集塵機ケースの前記吸引口の部分に取り付けられている集塵容器と、
当該集塵容器に着脱可能な状態で内蔵されている可撓性の集塵袋とを備えており、
前記集塵ホースを通って前記吸引ファンにより吸引される切粉が前記集塵袋によって捕捉されるようになっていることを特徴とする集塵機付き卓上丸ノコ装置。
【請求項４】
請求項３において、
前記集塵容器の内部には、前記吸引ファンの吸引力によって前記集塵袋が前記集塵容器の内面に密着することを防止するためのスペーサが配置されていることを特徴とする集塵機付き卓上丸ノコ装置。
【請求項５】
請求項１ないし４のうちのいずれかの項において、
前記集塵ホースと前記集塵容器の間に着脱可能な状態で接続できる集塵カートリッジを有し、
当該集塵カートリッジは、前記集塵容器と同一構造であるが集塵容量が大きいことを特徴とする集塵機付き卓上丸ノコ装置。
【発明の詳細な説明】
【技術分野】
【０００１】
本発明は、建築部材などを切断するために用いられ、切断時に発生する切り粉を周囲に飛散させることなく回収可能な集塵機付き卓上丸ノコ装置に関するものである。
【背景技術】
【０００２】
建築作業などにおいて用いられる卓上電動丸ノコでは、部材の切断時に発生する切り粉が周囲に飛散して作業環境の悪化を招き、また、作業終了後の清掃作業も大変である。そこで、集塵機能付きの卓上丸ノコが用いられている。
【０００３】
従来の集塵機能付きの卓上丸ノコでは、鋸刃カバーに排出口が形成されており、ここから後方に切断粉が排出されるようになっており、この排出口に集塵袋あるいは集塵機のホースを接続できるようになっている。
【発明の開示】
【発明が解決しようとする課題】
【０００４】
しかしながら、従来の集塵機能付き卓上丸ノコを用いた場合には、切断時に発生する切り粉の一部を回収できるのみであり、十分な集塵効果を期待できないのが実情である。すなわち、鋸刃カバーによって回収される切り粉は切断作業時に発生する切り粉の一部であり、それ以外の切り粉は周囲に飛散してしまう。
【０００５】
また、排出口に取り付けられる集塵袋は小容量であり、頻繁に交換する必要があるので煩雑である。これに対して、従来において使用されている集塵機は大容量のものであり、大量の切り粉を回収可能である。しかし、集塵機内に回収された大量の切り粉を処分する作業が大変であり、切り粉で一杯となった集塵機が使用されずに放置される場合が多いのが実情である。
【０００６】
本発明の課題は、このような点に鑑みて、発生する切り粉の殆ど全てを回収することができ、しかも、回収した切り粉の処理も簡単に行うことのできる集塵機付き卓上丸ノコ装置を提案することにある。
【課題を解決するための手段】
【０００７】
上記の課題を解決するために、本発明の集塵機付き卓上丸ノコ装置は、
架台と、
前記架台の上面に搭載されている電動丸ノコと、
前記架台または前記電動丸ノコに搭載されている集塵機と、
集塵ホースとを有し、
前記電動丸ノコは、丸鋸刃と、当該丸鋸刃を覆う鋸刃カバーと、前記丸鋸刃による切断位置の前方に配置されている切粉ガイドと、前記鋸刃カバーおよび前記切粉ガイドに連通している切粉吸出口とを備え、
前記集塵ホースは、一端が前記切粉吸出口に接続され、他端が前記集塵機の吸引側に接続されていることを特徴としている。
【０００８】
ここで、前記切粉吸引口として、第１の切粉吸引口および第２の切粉吸引口を備えている場合には、前記第１の切粉吸引口を前記鋸刃カバーに形成し、前記第２の切粉吸引口を前記切粉ガイドに形成し、前記集塵ホースの一端を二又に分岐して前記第１および第２の切粉吸出口にそれぞれ接続すればよい。
【０００９】
本発明の集塵機付き卓上丸ノコ装置では、鋸刃カバーによって回収される切り粉を吸引して回収すると共に、丸鋸刃による切断位置の前方に切り粉ガイド（フード）を配置し、切断位置で発生する切り粉を切り粉ガイドを介して吸引して回収するようにしている。このように、丸鋸刃の回転により上方に飛散する切り粉が鋸刃カバーを介して吸引回収され、切断位置から周囲に飛散する切粉が切粉ガイドを介して吸引回収される。よって、発生した切粉を周囲に飛散させることなく確実に集塵機に回収することができる。
【００１０】
ここで、前記集塵機としては、
吸引ファンが内蔵されている集塵機ケースと、
当該集塵機ケースに形成された前記吸引ファンの吸引口と、
前記集塵機ケースの前記吸引口の部分に取り付けられている集塵容器と、
当該集塵容器に着脱可能な状態で内蔵されている可撓性の集塵袋とを備え、
前記集塵ホースを通って前記吸引ファンにより吸引される切粉が前記集塵袋によって捕捉されるようになっている構成のものを用いることができる。
【００１１】
集塵容器内の集塵袋が切粉で一杯になった場合には集塵袋を交換するだけでよいので、回収した切粉の処分が簡単である。
【００１２】
また、集塵袋が集塵容器の内面に密着してしまうと、吸引動作が阻害され、切粉を吸引できなくなる。そこで、前記集塵容器の内部には、前記吸引ファンの吸引力によって前記集塵袋が前記集塵容器の内面に密着することを防止するためのスペーサを配置しておくことが望ましい。
【００１３】
さらに、大量の切粉の発生が予想される場合などにおいては、前記集塵ホースと前記集塵容器の間に着脱可能な状態で集塵カートリッジを接続できるようにすればよい。当該集塵カートリッジは、前記集塵容器と同一構造とすることができる。当該集塵カートリッジの容量を集塵機の集塵容量よりも十分に大きくしておけば、頻繁に集塵袋を交換する必要が無くなり、切断作業を効率良く行うことができる。
【発明の効果】
【００１４】
以上説明したように、本発明の集塵機付き卓上丸ノコ装置では、電動丸ノコに集塵機を搭載し、あるいは架台に集塵機を搭載し、丸鋸刃カバーを介して切粉を吸引して回収すると共に、切断位置の前方に配置した切粉ガイドを介して切粉を吸引して回収するようにしている。したがって、従来においては一部しか回収できなかった切粉の殆ど全てを集塵機に回収することができる。
【発明を実施するための最良の形態】
【００１５】
以下に図面を参照して、本発明を適用した集塵機付き卓上丸ノコ装置を説明する。
【００１６】
図１は集塵機付き卓上丸ノコ装置を示す斜視図であり、図２はその集塵機を示す斜視図および部分断面図である。集塵機付き卓上丸ノコ装置１は、４本の脚の付いた架台２を有し、この架台２における矩形の天板３の上面には電動丸ノコ４が搭載されている。天板３の裏面側には集塵機５が取り付けられ、この集塵機５と電動丸ノコ４の間が集塵ホース６によって接続されている。
【００１７】
電動丸ノコ４は、切断対象の部材を乗せる載置台１１と、この載置台１１の前方側の部位から上方および手前側に延びている腕部１２と、この腕部１２の上端に上下方向に旋回可能な状態で支持されている丸ノコ本体部分１３とを有している。丸ノコ本体部分１３は、本体ケース１４と、この本体ケース１４によって回転自在の状態で支持されている丸鋸刃１５と、本体ケース１４に内蔵されている丸鋸刃回転駆動用のモータ１６を備えている。本体ケース１４にはハンドル１７が一体形成されており、丸鋸刃１５を回転させ、ハンドル１７を掴んで押し下げると、載置台１１に乗せた部材を切断することができる。なお、本例は押し切り型のものであるが、スライド式の卓上丸ノコ装置に対しても本発明を同様に適用可能である。また、架台２に載置台１１が乗っているが、架台２の天板３に載置台１１を一体的に形成することもできる。
【００１８】
丸鋸刃１５は、その上半部分が本体ケース１４に一体形成されている本体側鋸刃カバー１４ａによって覆われており、その下半部分がほぼ半円形状の回動式鋸刃カバー１８によって覆われている。回動式鋸刃カバー１８は電動丸ノコ４の押し切り動作に連動して、丸鋸刃１５と同一の回転中心軸を中心として回動するので、丸鋸刃１５の下側部分が露出して、切断対象の部材を切断できる。本体側鋸刃カバー１４ａの背面側の部位には第１の切粉吸出口１４ｂが形成されている。
【００１９】
ここで、載置台１１には、丸鋸刃１５を押し込むためのスリット１１ａが形成されており、このスリット１１ａの上側に位置する切断対象の部材の部位が切断位置である。この切断位置の前方に位置している腕部１２の部位には、手前側に開口している切粉ガイド（フード）１９が取り付けられている。この切粉ガイド１９は前方に向けて窄まった形状をしており、その側面側の部位には第２の切粉吸出口１９ａが形成されている。
【００２０】
次に、集塵ホース６は、その一端側が二又に分岐した分岐ホース部分６１、６２とされており、これらの分岐ホース部分６１、６２の先端がそれぞれ、第１の切粉吸出口１４ｂおよび第２の切粉吸出口１９ａにそれぞれ接続されている。集塵ホース６の他方の端６３は集塵機５の側に接続されている。
【００２１】
図２に示すように、集塵機５は吸引ファン５１が内蔵されている集塵機ケース５２を備え、この集塵機ケース５２の前端面には吸引ファン吸引口５２ａが形成されている。この吸引ファン吸引口５２ａには、プラスチック製の集塵容器５３が取り付けられている。集塵容器５３は、容器本体５４と、この容器本体５４の開口部を着脱可能な状態で封鎖している蓋板５５とを備えている。容器本体５４の底板部分５４ａは吸引ファン吸引口５２ａの連通口５４ｂが形成されている。蓋板５５の中央には集塵ホース６の端６３が着脱可能な状態で差し込まれている連通口５５ａが形成されている。
【００２２】
集塵容器５３の内部には可撓性の集塵袋５６が収納されている。集塵袋５６の開口縁５６ａは、蓋板５５の内側面に着脱可能な状態で固定されている。また、集塵袋５６と、容器本体５４の間には、スペーサ５７が配置されており、スペーサ５７によって集塵袋５６が容器本体５４に密着しないようになっている。スペーサ５７は、例えば、集塵袋５６より目の粗いメッシュかごである。
【００２３】
このように構成した本例の集塵機付き卓上丸ノコ装置１では次のように発生した切粉が吸引回収される。切断対象の部材を載置台１１に載せ、集塵機５を駆動し、丸鋸刃１５を回転駆動してハンドル１７を押し込むと、丸鋸刃１５によって部材が切断される。切断時に発生した切粉は、切断位置から四周に飛散すると共に丸鋸刃１５の回転方向に飛ばされる。
【００２４】
本例では、鋸刃カバー１４ａの第１の切粉吸出口１４ｂおよび切粉ガイド１９の第２の切粉吸出口１９ａがそれぞれ、集塵機５の吸引ファン５１によって吸引されている。したがって、切断位置から四周に飛散しようとする切粉は、切断位置前方の切粉ガイド１９の側に吸引され、その第２の切粉吸出口１９ａから集塵ホース６を経由して集塵容器５３内の集塵袋５６に回収される。また、切断位置から丸鋸刃１５によって回転方向に飛ばされた切粉は鋸刃カバーの切粉吸出口１４ｂから集塵ホース６を経由して集塵袋５６に回収される。
【００２５】
したがって、集塵機５によって回収されることなく、切断位置から周囲に飛散する切粉が殆どない。よって、良好な作業環境下で切断作業を行うことができ、切断作業後の清掃も極めて簡単になる。さらに、集塵袋５６は着脱可能な状態で集塵容器５３に内蔵されているので、それが一杯になったときの交換作業も極めて簡単であり、一杯になった集塵袋５６を回収した切粉と共にそのまま処分できる。さらにまた、集塵袋５６と集塵容器５３の間にはスペーサ５７が配置されているので、吸引ファンの吸引作用によって集塵袋５６が集塵容器５３の内面に密着して目詰まり状態に陥ることがない。よって、効率良く切粉の吸引回収動作を行うことができる。
【００２６】
（集塵カートリッジ）
ここで、大量の切粉が発生する場合には、集塵袋５６の交換頻度が高くなり、切断作業の効率が低下する。このような場合には、集塵容器５３と集塵ホース６の間に着脱可能な状態で集塵カートリッジを接続できる構成を採用することが望ましい。
【００２７】
図３は集塵カートリッジを示す説明図である。集塵カートリッジ２０は、カートリッジ容器２１と、この中に収納された集塵袋２２と、集塵袋２２およびカートリッジ容器２１の間に配置されたスペーサ２３とを備えている。また、カートリッジ容器２１は、容器本体２４と、その開口部に着脱可能に取り付けた蓋板２５とを備えている。
【００２８】
容器本体２４の底板部分の中心には連通口２４ａが形成されており、ここに、連結用集塵ホース２６の先端２６ａを着脱可能な状態で接続できるようになっている。連結用集塵ホース２６の後端２６ｂは、集塵容器５３の蓋板５５の連通口５５ａに、着脱可能な状態で接続できるようになっている。集塵カートリッジ２０の蓋板２５の中心には連通口２５ａが形成されており、ここに、前述の集塵ホース６の端６３を着脱可能な状態で接続できるようになっている。このように、集塵カートリッジ２０の構造は集塵容器５３と同一である。
【００２９】
大量の切粉が発生する場合には、集塵容器５３よりも大容量の集塵カートリッジ２０を、集塵容器５３と集塵ホース６の間に接続する。この状態で切断作業を行うと、回収された切粉は大容量の集塵カートリッジ２０の集塵袋２２に回収される。集塵袋２２は大容量なので、その交換頻度は少なくて済み、あるいは、切断作業が終了するまで交換が不要になる。
【００３０】
（その他の実施の形態）
次に、図４には、スライド式の卓上丸ノコ装置に本発明を適用した例を示してある。本例の集塵機付き卓上丸ノコ装置１００は架台１０２を有し、この架台１０２における円形の載置面１０３の真上に電動丸ノコ１０４が位置している。電動丸ノコ１０４には集塵機１０５が取り付けられ、この集塵機１０５と電動丸ノコ１０４の間が集塵ホース１０６によって接続されている。
【００３１】
電動丸ノコ１０４は、切断対象の部材を乗せる載置面１０３の前方側の部位から上方に延びている腕部１１２と、この腕部１１２の上端に支持されている丸ノコ本体部分１１３とを有している。丸ノコ本体部分１１３は、腕部１１２の上端を中心として上下方向に旋回可能であると共に、前後方向にスライド可能な状態で当該腕部１１２によって支持されている。
【００３２】
丸ノコ本体部分１１３は、本体ケース１１４と、この本体ケース１１４によって回転自在の状態で支持されている丸鋸刃１１５と、本体ケース１１４に内蔵されている丸鋸刃回転駆動用のモータ１１６を備えている。本体ケース１１４にはハンドル１１７が一体形成されており、丸鋸刃１１５を回転させ、ハンドル１１７を掴んで押し下げ、その状態で手前側にスライドさせながら載置面１０３に乗せた部材を切断することができる。本体ケース１１４の側方側の部位に、集塵機１０５が取り付けられている。
【００３３】
丸鋸刃１１５は、その上半部分が本体ケース１１４に一体形成されている本体側鋸刃カバー１１４ａによって覆われており、その下半部分がほぼ半円形状の回動式鋸刃カバー１１８によって覆われている。回動式鋸刃カバー１１８は電動丸ノコ１０４を下方に旋回させる動作に連動して、丸鋸刃１１５と同一の回転中心軸を中心として回動するので、丸鋸刃１１５の下側部分が露出して、切断対象の部材を切断できる。本体側鋸刃カバー１１４ａの背面側の部位には切粉吸出口１１４ｂが形成されている。
【００３４】
ここで、載置面１０３には、丸鋸刃１１５をスライドさせるためのスリット１１１ａが形成されており、このスリット１１１ａの上側に位置する切断対象の部材の部位が切断位置である。この切断位置の前方に位置している腕部１１２の部位には、手前側に開口している切粉ガイド（フード）１１９が取り付けられている。この切粉ガイド１１９は腕部１１２を介して切粉吸引口１１４ｂに連通している。
【００３５】
次に、集塵ホース１０６は、その一端１６１が切粉吸出口１１４ｂに接続されている。集塵ホース１０６の他方の端１６３は集塵機１０５の側に接続されている。集塵機１０５は図２に示す集塵機５と実質的に同一構造であり、集塵容器がカップ状となっている点が異なるのみである。したがって、その説明は省略するものとする。
【００３６】
本例の卓上丸ノコ装置においても切粉を飛散させることなく回収することができる。なお、切粉ガイドは切断位置において発生する切粉を集塵機による吸引力によって吸引可能なものであれば、どのような形状、構造のものであってもよい。例えば、手前側にスライドする丸ノコ本体部分と共に前後に伸縮あるいは移動可能なものであってもよい。
【図面の簡単な説明】
【００３７】
【図１】本発明を適用した集塵機付き卓上丸ノコ装置の一例を示す斜視図である。
【図２】図１の集塵機を取り出して示す斜視図および、その集塵容器の内部構造を示す説明図である。
【図３】集塵カートリッジの一例を示す説明図である。
【図４】本発明を適用したスライド式の集塵機付き卓上丸ノコ装置の一例を示す斜視図である。
【符号の説明】
【００３８】
１，１００  集塵機付き丸ノコ装置、２，１０２  架台、３  天板、４，１０４  電動丸ノコ、５，１０５  集塵機、６，１０６  集塵ホース、１１  載置台、１２，１１２  腕部、１３，１１３  丸ノコ本体部分、１４，１１４  本体ケース、１５，１１５  丸鋸刃、１６，１１６  モータ、１７，１１７  ハンドル、１４ａ，１１４ａ  本体側鋸刃カバー、１８，１１８  回動式鋸刃カバー、１１４ｂ  切粉吸引口、１４ｂ  第１の切粉吸出口、１１ａ，１１１ａ  スリット、１９，１１９  切粉ガイド（フード）、１９ａ  第２の切粉吸出口、６１，６２  分岐ホース部分、６３，１６１，１６３  端、５１  吸引ファン、５２  集塵機ケース、５２ａ  吸引ファン吸引口、５３  集塵容器、５４  容器本体、５５  蓋板、５４ａ  底板部分、５４ｂ  連通口、５５ａ  連通口、５６  集塵袋、５６ａ  開口縁、５７  スペーサ、２０  集塵カートリッジ、２１  カートリッジ容器、２２  集塵袋、２３  スペーサ、２４  容器本体、２５  蓋板、２４ａ  連通口、２６  連結用集塵ホース、２６ａ  先端
【図１】
2006159863.tif 000003
【図２】
2006159863.tif 000004
【図３】
2006159863.tif 000005
【図４】
2006159863.tif 000006